(57)【要約】  本技術は、確実に、サービスを識別することができるようにする受信装置、受信方法、送信装置、及び、送信方法に関する。IP伝送方式を用いたデジタル放送の放送波を受信する受信部と、放送波で伝送される制御信号に含まれる、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせに応じて、特定のサービス提供元を識別して、特定のサービスに関する所定の処理を行う各部の動作を制御する制御部とを備える受信装置が提供される。本技術は、例えば、テレビジョン受像機に適用することができる。
2015107929.tif 000002
【特許請求の範囲】
【請求項１】
IP(Internet Protocol)伝送方式を用いたデジタル放送の放送波を受信する受信部と、
前記放送波で伝送される制御信号に含まれる、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせに応じて、特定のサービス提供元を識別して、前記特定のサービスに関する所定の処理を行う各部の動作を制御する制御部と
を備える受信装置。
【請求項２】
前記制御信号には、国ごとに割り振られる国コードがさらに含まれており、
前記制御部は、前記オリジナルネットワークID、前記ストリームID、前記サービスID、及び、前記国コードの組み合わせに応じて、前記特定のサービス提供元を識別する
請求項１に記載の受信装置。
【請求項３】
前記特定のサービスは、インターネットを介して、サーバからストリーミング配信される
請求項２に記載の受信装置。
【請求項４】
前記特定のサービスの電子サービスガイドは、インターネットを介して、サーバから提供される
請求項２に記載の受信装置。
【請求項５】
前記オリジナルネットワークIDは、公的機関により割り振られ、
前記ストリームIDと、前記サービスIDは、各放送事業者により割り振られる
請求項１に記載の受信装置。
【請求項６】
前記国コードは、公的機関の国コードが指定される
請求項２に記載の受信装置。
【請求項７】
前記制御信号は、XML(Extensible Markup Language)形式で記述される
請求項１に記載の受信装置。
【請求項８】
受信装置の受信方法において、
前記受信装置が、
IP伝送方式を用いたデジタル放送の放送波を受信し、
前記放送波で伝送される制御信号に含まれる、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせに応じて、特定のサービス提供元を識別して、前記特定のサービスに関する所定の処理を行う各部の動作を制御する
ステップを含む受信方法。
【請求項９】
１又は複数のサービスを構成するコンポーネントを取得する第１の取得部と、
放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせを含む制御信号を取得する第２の取得部と、
IP伝送方式を用いたデジタル放送の放送波であって、前記１又は複数のサービスを構成するコンポーネント及び前記制御信号を含む放送波を送信する送信部と
を備える送信装置。
【請求項１０】
送信装置の送信方法において、
前記送信装置が、
１又は複数のサービスを構成するコンポーネントを取得し、
放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせを含む制御信号を取得し、
IP伝送方式を用いたデジタル放送の放送波であって、前記１又は複数のサービスを構成するコンポーネント及び前記制御信号を含む放送波を送信する
ステップを含む送信方法。
【発明の詳細な説明】
【技術分野】
【０００１】
本技術は、受信装置、受信方法、送信装置、及び、送信方法に関し、特に、確実に、サービスを識別することができるようにした受信装置、受信方法、送信装置、及び、送信方法に関する。
【背景技術】
【０００２】
米国の地上デジタルテレビ放送の規格として、ATSC(Advanced Television Systems Committee)方式が制定されている（例えば、非特許文献１参照）。現行のATSC方式では、受信機が放送信号を選局するための情報であるVCT(Virtual Channel Table)に記述されたsource_idを用いることで、各サービスが識別される。
【先行技術文献】
【非特許文献】
【０００３】
【非特許文献１】Advanced Television Systems Committee, 「ATSC Standard: Program and System Information Protocol for Terrestrial Broadcast and Cable」, Document A65, 2013年8月7日
【発明の概要】
【発明が解決しようとする課題】
【０００４】
ところで、現行のATSC方式では、source_idがサービスを識別するためのIDとして用いられているが、固有のIDを割り振る登録機関(RA：Registration Authority)が存在していないため、IDが放送局の間で重複する可能性がある。そのため、現在策定中の次世代のATSC方式の規格では、固有のサービスを特定可能なIDによって、確実に、サービスを識別できるようにしたいという要求がある。【０００５】
本技術はこのような状況に鑑みてなされたものであり、確実に、サービスを識別することができるようにするものである。
【課題を解決するための手段】
【０００６】
本技術の第１の側面の受信装置は、IP(Internet Protocol)伝送方式を用いたデジタル放送の放送波を受信する受信部と、前記放送波で伝送される制御信号に含まれる、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせに応じて、特定のサービス提供元を識別して、前記特定のサービスに関する所定の処理を行う各部の動作を制御する制御部とを備える。【０００７】
前記制御信号には、国ごとに割り振られる国コードがさらに含まれており、前記制御部は、前記オリジナルネットワークID、前記ストリームID、前記サービスID、及び、前記国コードの組み合わせに応じて、前記特定のサービス提供元を識別することができる。【０００８】
前記特定のサービスは、インターネットを介して、サーバからストリーミング配信されるようにすることができる。【０００９】
前記特定のサービスの電子サービスガイドは、インターネットを介して、サーバから提供されるようにすることができる。【００１０】
前記オリジナルネットワークIDは、公的機関により割り振られ、前記ストリームIDと、前記サービスIDは、各放送事業者により割り振られるようにすることができる。【００１１】
前記国コードは、公的機関の国コードが指定されるようにすることができる。【００１２】
前記制御信号は、XML(Extensible Markup Language)形式で記述されるようにすることができる。【００１３】
受信装置は、独立した装置であってもよいし、１つの装置を構成している内部ブロックであってもよい。【００１４】
本技術の第１の側面の受信方法は、上述した本技術の第１の側面の受信装置に対応する受信方法である。【００１５】
本技術の第１の側面の受信装置及び受信方法においては、IP伝送方式を用いたデジタル放送の放送波が受信され、前記放送波で伝送される制御信号に含まれる、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせに応じて、特定のサービス提供元を識別して、前記特定のサービスに関する所定の処理を行う各部の動作が制御される。【００１６】
本技術の第２の側面の送信装置は、１又は複数のサービスを構成するコンポーネントを取得する第１の取得部と、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせを含む制御信号を取得する第２の取得部と、IP伝送方式を用いたデジタル放送の放送波であって、前記１又は複数のサービスを構成するコンポーネント及び前記制御信号を含む放送波を送信する送信部とを備える。【００１７】
送信装置は、独立した装置であってもよいし、１つの装置を構成している内部ブロックであってもよい。【００１８】
本技術の第２の側面の送信方法は、上述した本技術の第２の側面の送信装置に対応する送信方法である。【００１９】
本技術の第２の側面の送信装置及び送信方法においては、１又は複数のサービスを構成するコンポーネントが取得され、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせを含む制御信号が取得され、IP伝送方式を用いたデジタル放送の放送波であって、前記１又は複数のサービスを構成するコンポーネント及び前記制御信号を含む放送波が送信される。
【発明の効果】
【００２０】
本技術の第１の側面及び第２の側面によれば、確実に、サービスを識別することができる。【００２１】
なお、ここに記載された効果は必ずしも限定されるものではなく、本開示中に記載されたいずれかの効果であってもよい。
【図面の簡単な説明】
【００２２】
【図１】IP伝送方式のデジタル放送のプロトコルスタックを示す図である。
【図２】IP伝送方式のデジタル放送におけるID体系を示す図である。
【図３】シグナリング情報の構造を示す図である。
【図４】IP伝送方式のデジタル放送におけるID体系の記述方法を示す図である。
【図５】Original Network IDの具体例を示す図である。
【図６】現行のATSCで規定されているsource_idとの比較を説明するための図である。
【図７】本技術を適用した放送通信システムの一実施の形態の構成を示す図である。
【図８】本技術を適用した送信装置の一実施の形態の構成を示す図である。
【図９】本技術を適用した受信装置の一実施の形態の構成を示す図である。
【図１０】ESGサーバの構成例を示す図である。
【図１１】配信サーバの構成例を示す図である。
【図１２】送信処理を説明するフローチャートである。
【図１３】受信処理を説明するフローチャートである。
【図１４】ESG提供処理を説明するフローチャートである。
【図１５】ストリーミング配信処理を説明するフローチャートである。
【図１６】シグナリング情報の構造の他の例を示す図である。
【図１７】コンピュータの構成例を示す図である。
【発明を実施するための形態】
【００２３】
以下、図面を参照しながら、本技術の実施の形態について説明する。ただし、説明は以下の順序で行うものとする。
【００２４】
１．IP伝送方式によるデジタル放送の概要
２．シグナリング情報の詳細
３．放送通信システムの構成
４．各装置で実行される具体的な処理の流れ
５．変形例
６．コンピュータの構成
【００２５】
＜１．IP伝送方式によるデジタル放送の概要＞
【００２６】
（プロトコルスタック）
図１は、IP伝送方式のデジタル放送のプロトコルスタックを示す図である。
【００２７】
図１に示すように、最も下位の階層は、物理層(Physical Layer)とされ、サービス（チャンネル）のために割り当てられた放送波の周波数帯域がこれに対応する。物理層に隣接する上位の階層は、BBPストリーム(Base Band Packet Stream)を挟んでIP層とされる。BBPストリームは、IP伝送方式における各種のデータを格納したパケットを含むストリームである。
【００２８】
IP層は、TCP/IPのプロトコルスタックにおけるIP(Internet Protocol)と同じものであり、IPアドレスによりIPパケットが特定される。IP層に隣接する上位階層はUDP層とされ、さらにその上位の階層は、RTP，FLUTE/ALSとされる。すなわち、IP伝送方式のデジタル放送においては、UDP(User Datagram Protocol)のポート番号が指定されたパケットが送信され、例えばRTP(Real-time Transport Protocol)セッションやFLUTE(File Delivery over Unidirectional Transport)セッションが確立されるようになされている。なお、FLUTEの詳細は、RFC3926として規定されている。
【００２９】
FLUTE/ALSに隣接する上位階層は、fMP4(Fragmented MP4)とされ、さらに、RTP，fMP4に隣接する上位階層は、ビデオデータ(Video)、オーディオデータ(Audio)、字幕データ(Closed Caption)等とされる。すなわち、ビデオデータやオーディオデータを、同期型のストリーム形式で伝送する場合には、RTPセッションが利用され、ビデオデータやオーディオデータを、非同期型のファイル形式で伝送する場合には、FLUTEセッションが利用される。
【００３０】
また、FLUTE/ALSの上位階層は、NRTコンテンツ(NRT Content)，ESG，SCSとされ、NRTコンテンツ，ESG，SCSは、FLUTEセッションにより伝送される。NRTコンテンツは、NRT(Non-RealTime)放送で伝送されるコンテンツであって、受信機のストレージに一旦蓄積された後で再生が行われる。なお、NRTコンテンツは、コンテンツの一例であって、他のコンテンツのファイルがFLUTEセッションにより伝送されるようにしてもよい。ESG(Electronic Service Guide)は、電子サービスガイドである。
【００３１】
SCS(Service Channel Signaling)は、サービス単位のシグナリング情報であって、FLUTEセッションにより伝送される。例えば、SCSとしては、SDP(Session Description Protocol)，USD(User Service Description)，MPD(Media Presentation Description)などが伝送される。
【００３２】
LLS(Low Layer Signaling)は、低レイヤのシグナリング情報であって、BBPストリーム上で伝送される。例えば、LLSとしては、SCT(Service Configuration Table)やSAT(Service Association Table)などのサービス構成情報(Service Configuration Information)が伝送される。
【００３３】
（IP伝送方式のデジタル放送におけるID体系）
図２は、IP伝送方式のデジタル放送におけるID体系を示す図である。
【００３４】
IP伝送方式のデジタル放送においては、MPEG2-TS方式で用いられているネットワークID(Network ID)，トランスポートストリームID(Transport Stream ID)，サービスID(Service ID)の組み合わせ（以下、「トリプレット(Triplet)」という）と同様の構成を採用し、このトリプレットによって、放送ネットワーク内のストリーム構成とサービス構成が示される。ただし、このIP伝送方式では、BBPストリームID(BBP Stream ID)が、MPEG2-TS方式におけるトランスポートストリームIDに相当している。また、IP伝送方式では、ネットワークID(Network ID)の他に、特定のサービスの再送信時に同一の値が継承されるオリジナルネットワークID(Original Network ID)が用いられる。
【００３５】
図２に示すように、所定の周波数帯域を有する放送波（放送ネットワーク(Network)）には、オリジナルネットワークIDが割り当てられている。放送ネットワーク(Network)には、BBPストリームIDにより識別される、１乃至ｍ(ｍは１以上の整数)のBBPストリームが含まれている。BBPストリームは、BBPヘッダとペイロードからなる複数のBBPパケットにより構成される。
【００３６】
各BBPストリームには、サービスIDにより識別される１乃至ｎ(ｎは１以上の整数)のサービス(Service)が含まれている。各サービスは、１又は複数のコンポーネント(Component)から構成されている。コンポーネントは、例えば、ビデオデータやオーディオデータ、字幕データ等の各サービスを構成するためのデータである。
【００３７】
このように、IP伝送方式のデジタル放送においては、ネットワークID(Network ID)、BBPストリームID(BBP Stream ID)、及び、サービスID(Service ID)からなるトリプレットを用いることで、各サービスに対して、固有のIDを割り当てている。また、IP伝送方式のデジタル放送においては、オリジナルネットワークID(Original Network ID)、BBPストリームID(BBP Stream ID)、及び、サービスID(Service ID)の組み合わせを用いることで、特定のサービス提供元を識別することができる。
【００３８】
＜２．シグナリング情報の詳細＞
【００３９】
（シグナリング情報の構造）
図３は、シグナリング情報の構造を示す図である。
【００４０】
上述したように、LLSとしては、SCTやSATが伝送される。SCTは、トリプレットを採用し、ネットワークID、BBPストリームID、及び、サービスIDにより、サービスが特定される。また、SCTには、サービス単位の属性・設定情報としてのIPアドレス等の情報、ESGやSCSにアクセスするためのbootstrap情報などが含まれる。SATは、BBPストリームごとのオンエア中のサービスを示す。SATによって、特定のサービスがオンエア中（放送中）であるかどうかを判定することができる。
【００４１】
また、SCSとしては、SDP，MPD，USDが伝送される。SDPは、サービス単位のサービス属性、コンポーネントの構成情報、コンポーネント属性、コンポーネントのフィルタ情報、コンポーネントのロケーション情報などを含んでいる。MPDは、サービス単位で伝送されるコンポーネントごとのセグメントURL(Uniform Resource Locator)などを含んでいる。SDPとMPDにより、例えばFLUTEセッションにより伝送されるコンテンツが特定される。USDは、SDPやMPDを取得するための情報であって、ESGやアプリケーションと関連付けられている。
【００４２】
ESGは、例えば、番組タイトルや開始時刻などの情報を含む電子サービスガイドである。なお、本実施の形態では、ESGについて説明するが、電子番組表(EPG：Electronic Program Guide)を用いる場合も同様である。アプリケーション(Application)は、HTML（Hyper Text Markup Language）形式のファイル等から構成され、インターネット上のサーバから配信される。アプリケーションは、特定のサービスとして提供される、テレビ番組等の放送コンテンツに連動して実行される。
【００４３】
（ID体系の記述方法）
図４は、IP伝送方式のデジタル放送におけるID体系の記述方法を示す図である。このID体系は、例えばSCTに記述されるものである。なお、SCTは、例えば、XML(Extensible Markup Language)等のマークアップ言語により記述され、図４において、要素と属性のうち、属性には「@」が付されている。また、インデントされた要素と属性は、その上位の要素に対して指定されたものとなる。
【００４４】
図４に示すように、サービス要素のサービス提供元の属性として、国コード(Country Code)、オリジナルネットワークID、BBPストリームID、及び、サービスIDが指定されている。ここでは、上述したID体系の他に、国コードが指定されている。国コードには、国ごとに割り振られたコードが指定されるが、各国が独自に運用するため、公的機関の国コードを指定することが望ましい。国コードを割り振ることで、国境を越えて、世界で固有のIDとすることができる。
【００４５】
例えば、米国において、カナダとメキシコと国境を接する場合であっても、国コードを割り振ることで、特別なIDの割り当て範囲を別途規定することなく、IDが重複することを避けることができる。仮に、このような国コードを用いずに、所定の領域ごとに割り振る用途を指定する場合を想定すると、様々な国や伝送経路の運用のために事前に細かく指定する必要が出てくるため、これでは自由度が低くなってしまう。国コードを用いることで、国際間の運用にも対応可能となる。
【００４６】
オリジナルネットワークIDは、放送ネットワークを識別するためのIDである。オリジナルネットワークIDには、各国のレギュレータ(例えば、米国では連邦通信委員会(FCC：Federal Communications Commission))により、放送局(放送事業者)ごとに固有のIDが割り振られる。なお、上述したように、放送ネットワークを識別するためのIDとしては、ネットワークIDも用いられる。
【００４７】
BBPストリームIDは、BBPストリームを識別するためのIDである。また、サービスIDは、サービスを識別するためのIDである。各放送局(放送事業者)は、BBPストリームIDとサービスIDを重複しないように、独自に割り振る。
【００４８】
ここで、IP伝送方式のデジタル放送におけるID体系においては、他の放送局により、特定のサービスが再送信される場合に、オリジナルネットワークID、BBPストリームID、及び、サービスIDを変更せずに、そのまま送信するものとする。
【００４９】
具体的には、図５に示すように、ネットワークIDが"10"の放送局（Network 10）により提供されるサービスＡ(Service A)と、ネットワークIDが"11"の放送局（Network 11）により提供されるサービスＢ(Service B)を、ネットワークIDが"12"の他の放送局（Network 12）が再送信する場面を想定する。この場面において、他の放送局（Network 12）が再送信するサービスＡのオリジナルネットワークIDには、サービスの提供元の"10"であるオリジナルネットワークIDが指定される。同様に、他の放送局（Network 12）が再送信するサービスＢのオリジナルネットワークIDには、サービスの提供元の"11"であるオリジナルネットワークIDが指定される。
【００５０】
すなわち、他の放送局（Network 12）が送信するサービスＡやサービスＢであっても、再送信されるサービスの場合には、他の放送局（Network 12）に割り振られた"12"であるネットワークIDを指定するのではなく、サービスの提供元の放送局（Network 10，11）に割り振られた"10"や"11"であるオリジナルネットワークIDが指定されることになる。
【００５１】
このように、特定のサービスの再送信時に、その特定のサービスを識別するID体系を継承して、同一の値とすることで、再送信の形態によらず、固有のサービスであることを特定することができる。例えば、今後は、放送済みのテレビ番組を、ケーブルテレビや衛生放送により再放送することに加えて、インターネットで再配信することが想定されるが、このような場合でも、当該テレビ番組に、放送時に割り振られていたID体系と同一の値のID体系で、再配信時のテレビ番組を特定することができる。また、例えば、インターネット上に、ESGを提供するESGサーバを設けた場合に、ESGサーバでは、当該ID体系により、唯一固有のサービスを特定して、特定されたサービスのESGを提供することができる。
【００５２】
また、図６に示すように、現行のATSC方式では、受信機が放送信号を選局するための情報であるVCTに記述されているsource_idにより、各サービスを識別している。このsource_idに割り振られる値のうち、"0x000"は予約済みの値、"0x0001"〜"0x0fff"の領域が放送局内で固有の値、"0x1000"〜"0xffff"の領域が登録機関(RA：Registration Authority)により決められる値として割り振られている。しかしながら、現実には、固有のIDを割り振る登録機関は存在しないため、放送局の間で、サービスを識別するためのIDが重複する可能性があり、そのため、固有のサービスとして特定することができなかった。一方、上述したID体系においては、オリジナルネットワークID、BBPストリームID、サービスID、及び、国コードの組み合わせにより、各サービスを、固有のサービスとして特定することができるので、確実に、サービスを識別することができるようになる。
【００５３】
なお、図４の例では、サービス要素の各属性は、Cardinalityとして、"1"が指定されており、必須の属性として示しているが、国コード(Country Code)の属性については、必ずしも指定する必要はない。また、SCTは、将来、新たな拡張が必要になった場合に容易に拡張できるため、XML等のマークアップ言語により記述して伝送するのが好適であるが、他の伝送方式で伝送されるようにしてもよい。
【００５４】
＜３．放送通信システムの構成＞
【００５５】
（放送通信システムの構成例）
図７は、本技術を適用した放送通信システムの一実施の形態の構成を示す図である。
【００５６】
図７に示すように、放送通信システム１は、送信装置１０、受信装置２０、ESGサーバ３０、及び、配信サーバ４０から構成される。また、受信装置２０と、ESGサーバ３０及び配信サーバ４０とは、インターネット９０を介して相互に接続されている。さらに、送信装置１０と配信サーバ４０は、専用の回線などを介して接続されている。なお、送信装置１０がケーブルテレビのサービスを提供可能である場合には、送信装置１０と受信装置２０を、ケーブル８０を介して接続することができる。
【００５７】
送信装置１０は、特定のサービスとして提供されるテレビ番組等の放送コンテンツを、デジタル放送の放送波で送信する。なお、放送コンテンツは、ビデオやオーディオ、字幕等のコンポーネントから構成されている。また、送信装置１０は、サービスを構成するコンポーネントとともに、制御信号（図３のシグナリング情報）を、デジタル放送の放送波で送信する。なお、送信装置１０は、ケーブルテレビのサービスを提供可能である場合には、特定のサービスとして提供される放送済のテレビ番組などを放送コンテンツとして、ケーブル８０を介して送信（再配信）することができる。
【００５８】
受信装置２０は、送信装置１０から送信される放送信号を受信する。受信装置２０は、放送信号から得られる制御信号に基づいて、ビデオやオーディオ、字幕等のコンポーネントを取得し、テレビ番組等の放送コンテンツの映像や音声を出力する。また、受信装置２０は、送信装置１０がケーブルテレビのサービスを提供可能である場合に、送信装置１０から送信される放送信号を、ケーブル８０を介して受信し、放送済みのテレビ番組等の放送コンテンツの映像や音声を出力することができる。なお、受信装置２０は、ディスプレイやスピーカを含んで単体として構成されるようにしてもよいし、テレビジョン受像機やビデオレコーダ等に内蔵されるようにしてもよい。
【００５９】
ESGサーバ３０は、テレビ番組の電子サービスガイド(ESG)を管理している。ESGサーバ３０は、受信装置２０からの要求に応じて、インターネット９０を介して、特定のテレビ番組のESGを受信装置２０に提供する。受信装置２０は、インターネット９０を介して、ESGサーバ３０から提供されるESGを保持し、所定のタイミングで表示させる。
【００６０】
配信サーバ４０は、受信装置２０からの要求に応じて、特定のサービスとして提供される放送済のテレビ番組や公開済みの映画などの通信コンテンツをストリーミング配信（再配信）する。なお、通信コンテンツは、ビデオやオーディオ、字幕等のコンポーネントから構成され、例えば送信装置１０から専用の回線などを介して提供される。受信装置２０は、インターネット９０を介して、配信サーバ４０からストリーミング配信されるデータを受信し、放送済みのテレビ番組等の通信コンテンツの映像や音声を出力する。
【００６１】
放送通信システム１は、以上のように構成される。次に、図８乃至図１１を参照して、図７の放送通信システム１を構成する各装置の詳細な構成について説明する。
【００６２】
（送信装置の構成例）
図８は、図７の送信装置１０の構成例を示す図である。
【００６３】
図８に示すように、送信装置１０は、コンポーネント取得部１０１、制御信号取得部１０２、Mux１０３、及び、送信部１０４から構成される。
【００６４】
コンポーネント取得部１０１は、外部のサーバや内蔵するストレージ等から、ビデオやオーディオ、字幕等の各種のコンポーネントを取得し、Mux１０３に供給する。制御信号取得部１０２は、外部のサーバや内蔵するストレージ等から、制御信号（図３のシグナリング情報）を取得し、Mux１０３に供給する。
【００６５】
Mux１０３は、コンポーネント取得部１０１からの各種のコンポーネントと、制御信号取得部１０２からの制御信号を多重化して、BBPストリームを生成し、送信部１０４に供給する。送信部１０４は、Mux１０３から供給されるBBPストリームを放送信号として、アンテナ１０５を介して送信する。
【００６６】
（受信装置の構成例）
図９は、図７の受信装置２０の構成例を示す図である。
【００６７】
図９に示すように、受信装置２０は、チューナ２０２、Demux２０３、選択部２０４、選択部２０５、選択部２０６、選択部２０７、制御部２０８、NVRAM２０９、入力部２１０、通信部２１１、Demux２１２、ビデオデコーダ２１３、ビデオ出力部２１４、オーディオデコーダ２１５、オーディオ出力部２１６、字幕デコーダ２１７、及び、ESG保持部２１８から構成される。
【００６８】
チューナ２０２は、アンテナ２０１により受信された放送信号から、選局が指示されたサービスの放送信号を抽出して復調し、その結果得られるBBPストリームを、Demux２０３に供給する。
【００６９】
Demux２０３は、チューナ２０２から供給されるBBPストリームを、各コンポーネント、ESGデータ、及び、制御信号に分離して、各コンポーネントとESGデータを、選択部２０４乃至２０７にそれぞれ供給し、制御信号を、制御部２０８に供給する。ここでは、コンポーネントとして、ビデオコンポーネント、オーディオコンポーネント、字幕コンポーネントが分離され、選択部２０４、選択部２０５、選択部２０６にそれぞれ供給される。また、ESGデータは、選択部２０７に供給される。
【００７０】
制御部２０８は、受信装置２０の各部の動作を制御する。NVRAM２０９は、不揮発性メモリであって、制御部２０８からの制御に従い、各種のデータを記録する。例えば、制御部２０８は、Demux２０３から供給される制御信号（図３のシグナリング情報）から得られる選局情報を、NVRAM２０９に記録する。制御部２０８は、NVRAM２０９に記録された選局情報に基づいて、チューナ２０２による選局処理を制御する。また、制御部２０８は、選択部２０４乃至２０７により行われる選択処理を制御する。
【００７１】
入力部２１０は、ユーザの操作に応じて、操作信号を制御部２０８に供給する。制御部２０８は、入力部２１０からの操作信号に基づいて、受信装置２０の各部の動作を制御する。
【００７２】
通信部２１１は、制御部２０８からの制御に従い、インターネット９０を介してESGサーバ３０又は配信サーバ４０と各種のデータをやりとりする。通信部２１１は、ESGサーバ３０から受信したESGデータを、Demux２１２を介して選択部２０７に供給する。また、通信部２１１は、配信サーバ４０から受信したストリームデータを、Demux２１２に供給する。
【００７３】
Demux２１２は、通信部２１１から供給されるストリームデータを、各コンポーネントに分離して、選択部２０４乃至２０６に供給する。ここでは、分離後のコンポーネントのうち、ビデオコンポーネントが選択部２０４、オーディオコンポーネントが選択部２０５、字幕コンポーネントが選択部２０６にそれぞれ供給される。
【００７４】
選択部２０４は、制御部２０８からの制御に従い、Demux２０３からのビデオコンポーネントと、Demux２１２からのビデオコンポーネントのいずれか一方を選択し、ビデオデコーダ２１３に供給する。
【００７５】
ビデオデコーダ２１３は、選択部２０４から供給されるビデオコンポーネントを復号し、それにより得られるビデオデータを、ビデオ出力部２１４に供給する。ビデオ出力部２１４は、ビデオデコーダ２１３から供給されるビデオデータを、後段のディスプレイ（不図示）に出力する。これにより、ディスプレイには、例えば、テレビ番組の映像が表示される。
【００７６】
選択部２０５は、制御部２０８からの制御に従い、Demux２０３からのオーディオコンポーネントと、Demux２１２からのオーディオコンポーネントのいずれか一方を選択し、オーディオデコーダ２１５に供給する。
【００７７】
オーディオデコーダ２１５は、選択部２０５から供給されるオーディオコンポーネントを復号して、それにより得られるオーディオデータを、オーディオ出力部２１６に供給する。オーディオ出力部２１６は、オーディオデコーダ２１５から供給されるオーディオデータを、後段のスピーカ（不図示）に供給する。これにより、スピーカからは、例えば、テレビ番組の映像に同期した音声が出力される。
【００７８】
選択部２０６は、制御部２０８からの制御に従い、Demux２０３からの字幕コンポーネントと、Demux２１２からの字幕コンポーネントのいずれか一方を選択し、字幕デコーダ２１７に供給する。
【００７９】
字幕デコーダ２１７は、選択部２０６から供給される字幕コンポーネントを復号して、それにより得られる字幕データを、ビデオ出力部２１４に供給する。ビデオ出力部２１４は、字幕デコーダ２１７から字幕データが供給された場合、その字幕データを、ビデオデコーダ２１３からのビデオデータに合成し、後段のディスプレイ（不図示）に供給する。これにより、ディスプレイには、例えば、テレビ番組の映像とともに、その映像に同期した字幕が表示される。
【００８０】
選択部２０７は、制御部２０８からの制御に従い、Demux２０３からのESGデータと、Demux２１２からのESGデータのいずれか一方を選択し、ESG保持部２１８に供給する。
【００８１】
ESG保持部２１８は、選択部２０７から供給されるESGデータを保持する。ESG保持部２１８は、制御部２０８からの制御に従い、保持しているESGデータを、ビデオ出力部２１４に供給する。ビデオ出力部２１４は、ESG保持部２１８からESGデータが供給された場合、そのESGデータを、後段のディスプレイ（不図示）に供給する。これにより、ディスプレイには、ESGが表示される。
【００８２】
（ESGサーバの構成例）
図１０は、図７のESGサーバ３０の構成例を示す図である。
【００８３】
図１０に示すように、ESGサーバ３０は、制御部３０１、ESG取得部３０２、蓄積部３０３、及び、通信部３０４から構成される。
【００８４】
制御部３０１は、ESGサーバ３０の各部の動作を制御する。ESG取得部３０２は、外部のサーバや内蔵するストレージ等から、ESGデータを取得し、制御部３０１に供給する。制御部３０１は、ESG取得部３０２からのESGデータを、蓄積部３０３に蓄積する。これにより、蓄積部３０３には、例えば、国や地域ごとのESGデータが蓄積される。
【００８５】
通信部３０４は、制御部３０１からの制御に従い、インターネット９０を介して受信装置２０と各種のデータをやりとりする。制御部３０１は、受信装置２０からのESGの要求を受信した場合、当該要求に応じたESGデータを蓄積部３０３から読み出す。制御部３０１は、通信部３０４を制御して、蓄積部３０３から読み出したESGデータを、インターネット９０を介して、受信装置２０に送信する。
【００８６】
（配信サーバの構成例）
図１１は、図７の配信サーバ４０の構成例を示す図である。
【００８７】
図１１に示すように、配信サーバ４０は、制御部４０１、ストリーム取得部４０２、蓄積部４０３、及び、通信部４０４から構成される。
【００８８】
制御部４０１は、配信サーバ４０の各部の動作を制御する。ストリーム取得部４０２は、送信装置１０から専用の回線などを介して、放送済のテレビ番組等のストリームデータを取得し、制御部４０１に供給する。制御部４０１は、ストリーム取得部４０２からのストリームデータを、蓄積部４０３に蓄積する。これにより、蓄積部４０３には、通信コンテンツとして、例えば、各国の放送局で放送されたテレビ番組のストリームデータが蓄積される。
【００８９】
通信部４０４は、制御部４０１からの制御に従い、インターネット９０を介して受信装置２０と各種のデータをやりとりする。制御部４０１は、受信装置２０からの特定のサービスの配信要求を受信した場合、当該要求に応じたストリーミングデータを蓄積部４０３から読み出す。制御部４０１は、通信部４０４を制御して、蓄積部４０３から読み出したストリーミングデータを、インターネット９０を介して、受信装置２０に送信する。
【００９０】
＜４．各装置で実行される具体的な処理の流れ＞
【００９１】
次に、図１２乃至図１５を参照して、図７の放送通信システム１を構成する各装置で実行される具体的な処理の流れについて説明する。
【００９２】
（送信処理）
まず、図１２のフローチャートを参照して、図７の送信装置１０により実行される送信処理について説明する。
【００９３】
ステップＳ１０１において、コンポーネント取得部１０１は、外部のサーバや内蔵するストレージ等から、各種のコンポーネントを取得し、Mux１０３に供給する。ステップＳ１０２において、制御信号取得部１０２は、外部のサーバなどから制御信号（図３のシグナリング情報）を取得し、Mux１０３に供給する。
【００９４】
ステップＳ１０３において、Mux１０３は、コンポーネント取得部１０１からの各種のコンポーネントと、制御信号取得部１０２からの制御信号を多重化して、BBPストリームを生成し、送信部１０４に供給する。ステップＳ１０４において、送信部１０４は、Mux１０３から供給されるBBPストリームを放送信号として、アンテナ１０５を介して送信する。ステップＳ１０４の処理が終了すると、図１２の送信処理は終了される。
【００９５】
以上、送信処理について説明した。この送信処理においては、ビデオやオーディオ等のコンポーネントと制御信号とが多重化されたBBPストリームが放送波により送信されるが、それらのコンポーネントから構成される各サービスの提供元は、制御信号の１つであるSCTに記述されるオリジナルネットワークID、BBPストリームID、サービスID、及び、国コードの組み合わせからなるID体系により識別されることになる。
【００９６】
（受信処理）
次に、図１３のフローチャートを参照して、図７の受信装置２０により実行される受信処理について説明する。なお、この受信処理は、受信装置２０が起動され、ユーザによるリモートコントローラの操作により、特定のサービスが選局されたときなどに実行される。
【００９７】
ステップＳ２０１において、チューナ２０２は、制御部２０８からの制御に従い、アンテナ２０１を介して放送信号を受信し、放送信号から選局が指示されたサービスの放送信号を抽出して復調する。また、ステップＳ２０２において、Demux２０３は、チューナ２０２からのBBPストリームを、コンポーネントと制御信号に分離する。
【００９８】
ステップＳ２０３において、ビデオデコーダ２１３は、制御部２０８からの制御に従い、復号処理を行い、それにより得られるビデオデータを、ビデオ出力部２１４に供給する。また、オーディオデコーダ２１５は、制御部２０８からの制御に従い、復号処理を行い、それにより得られるオーディオデータを、オーディオ出力部２１６に供給する。これにより、ユーザによるリモートコントローラの操作により選局された特定のサービスが視聴可能になる。
【００９９】
以上、受信処理について説明した。この受信処理においては、ユーザによるリモートコントローラの操作により選局された特定のサービスのビデオやオーディオ等のコンポーネントが復号され、視聴可能になるが、この特定のサービス提供元は、SCTに記述されるオリジナルネットワークID、BBPストリームID、サービスID、及び、国コードの組み合わせからなるID体系により識別されることになる。
【０１００】
（ESG提供処理）
次に、図１４のフローチャートを参照して、図７の受信装置２０とESGサーバ３０との間で実行されるESG提供処理について説明する。なお、図１４のフローチャートにおいて、ステップＳ３０１乃至Ｓ３０４の処理は、受信装置２０により実行され、ステップＳ３２１乃至Ｓ３２３の処理は、ESGサーバ３０により実行される。
【０１０１】
ステップＳ３０１においては、特定のサービスのESGの取得が指示されたかどうかが判定される。ステップＳ３０１において、特定のサービスのESGの取得が指示されたと判定された場合、処理は、ステップＳ３０２に進められる。ステップＳ３０２において、通信部２１１は、制御部２０８からの制御に従い、特定のサービスのESGを、インターネット９０を介してESGサーバ３０に要求する。ただし、この特定のサービス提供元は、オリジナルネットワークID、BBPストリームID、サービスID、及び、国コードの組み合わせからなる図４のID体系により指定されているものとする。
【０１０２】
ステップＳ３２１において、通信部３０４は、制御部３０１からの制御に従い、インターネット９０を介して受信装置２０から送信される、特定のサービス提供元のESGの要求を受信する。ステップＳ３２２において、制御部３０１は、特定のサービス提供元のESGの要求に基づいて、蓄積部３０３に蓄積されたESGデータの中から、当該ESGの要求に含まれる図４のID体系により指定されるESGデータを取得する。ステップＳ３２３において、通信部３０４は、制御部３０１からの制御に従い、当該ESGの要求に応じて取得されたESGデータを、インターネット９０を介して受信装置２０に送信する。
【０１０３】
ステップＳ３０３において、通信部２１１は、制御部２０８からの制御に従い、インターネット９０を介してESGサーバ３０から送信されてくる、特定のサービス提供元のESGデータを受信する。ステップＳ３０４において、ESG保持部２１８は、通信部２１１により受信されたESGデータを保持する。これにより、ESG保持部２１８には、図４のID体系により指定される特定のサービス提供元のESGデータが保持される。また、例えばユーザによるリモートコントローラの操作により、ESGの表示が指示された場合には、ESG保持部２１８に保持されたESGデータが、ビデオ出力部２１４に供給され、ディスプレイに表示されることになる。
【０１０４】
以上、ESG提供処理について説明した。このESG提供処理においては、特定のサービス提供元が、オリジナルネットワークID、BBPストリームID、サービスID、及び、国コードの組み合わせからなるID体系により指定されているため、ESGサーバ３０に蓄積された国や地域ごとのESGデータの中から、特定のサービス提供元のESGデータを取得して提供することが可能となる。
【０１０５】
（ストリーミング配信処理）
次に、図１５のフローチャートを参照して、図７の受信装置２０と配信サーバ４０との間で実行されるストリーミング配信処理について説明する。なお、図１５のフローチャートにおいて、ステップＳ４０１乃至Ｓ４０４の処理は、受信装置２０により実行され、ステップＳ４２１乃至Ｓ４２３の処理は、配信サーバ４０により実行される。
【０１０６】
ステップＳ４０１においては、例えばユーザによるリモートコントローラの操作により、特定のサービス（例えば、放送済みのテレビ番組等の通信コンテンツ）の再配信が指示されたかどうかが判定される。ステップＳ４０１において、放送済みのテレビ番組の再配信が指示されたと判定された場合、処理は、ステップＳ４０２に進められる。ステップＳ４０２において、通信部２１１は、制御部２０８からの制御に従い、放送済みのテレビ番組の再配信を、インターネット９０を介して配信サーバ４０に要求する。ただし、例えば、放送済みのテレビ番組などの特定のサービス提供元は、オリジナルネットワークID、BBPストリームID、サービスID、及び、国コードの組み合わせからなる図４のID体系により指定されているものとする。
【０１０７】
ステップＳ４２１において、通信部４０４は、制御部４０１からの制御に従い、インターネット９０を介して受信装置２０から送信される、特定のサービスの再配信の要求を受信する。ステップＳ４２２において、制御部４０１は、特定のサービスの再配信の要求に基づいて、蓄積部４０３に蓄積された複数のサービスのストリームデータの中から、当該再配信の要求に含まれる図４のID体系により指定される特定のサービスのストリームデータを取得する。ステップＳ４２３において、通信部４０４は、制御部４０１からの制御に従い、当該再配信の要求に応じて取得されたストリームデータを、インターネット９０を介して受信装置２０にストリーミング配信する。
【０１０８】
ステップＳ４０３において、通信部２１１は、制御部２０８からの制御に従い、インターネット９０を介して配信サーバ４０からストリーミング配信される特定のサービスのストリームデータを受信する。ステップＳ４０４において、ビデオデコーダ２１３は、制御部２０８からの制御に従い、復号処理を行い、それにより得られるビデオデータを、ビデオ出力部２１４に供給する。また、オーディオデコーダ２１５は、制御部２０８からの制御に従い、復号処理を行い、それにより得られるオーディオデータを、オーディオ出力部２１６に供給する。これにより、放送済みのテレビ番組などの特定のサービスのストリーミング再生が行われる。
【０１０９】
以上、ストリーミング配信処理について説明した。このストリーミング配信処理においては、特定のサービス提供元が、オリジナルネットワークID、BBPストリームID、サービスID、及び、国コードの組み合わせからなるID体系により指定されているため、例えば、配信サーバ４０に蓄積された各国の放送局で放送されたテレビ番組のストリームデータの中から、特定のテレビ番組のストリームデータを取得してストリーミング配信することが可能となる。なお、図１５においては、配信サーバ４０から再配信される通信コンテンツを、受信装置２０が受信する例を説明したが、送信装置１０からケーブル８０を介して再配信される放送コンテンツを、受信装置が受信する場合も同様に、特定のサービス提供元が、オリジナルネットワークID、BBPストリームID、サービスID、及び、国コードの組み合わせからなるID体系により指定されることになる。
【０１１０】
＜５．変形例＞
【０１１１】
（シグナリング情報の他の構造）
図１６は、シグナリング情報の構造の他の例を示す図である。
【０１１２】
図１６のシグナリング情報は、上述した図３のシグナリング情報と比べて、SCSとして、SDP，MPD，USDの他に、SPT(Service Parameter Table)が伝送されている点が異なっている。SPTは、サービスとコンポーネントのレベルで規定された各種のパラメータを含んで構成される。上述した説明では、SCT(LLS)に、オリジナルネットワークID、BBPストリームID、サービスID、及び、国コードからなるID体系が記述されるとして説明したが、当該ID体系は、このSPT(SCS)に記述されるようにしてもよい。
【０１１３】
＜６．コンピュータの構成＞
【０１１４】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１１５】
図１７は、上述した一連の処理をプログラムにより実行するコンピュータのハードウェアの構成例を示すブロック図である。
【０１１６】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０１１７】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０１１８】
以上のように構成されるコンピュータ９００では、CPU９０１が、例えば、記録部９０８に記憶されているプログラムを、入出力インターフェース９０５及びバス９０４を介して、RAM９０３にロードして実行することにより、上述した一連の処理が行われる。
【０１１９】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０１２０】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０１２１】
なお、コンピュータ９００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２２】
ここで、本明細書において、コンピュータ９００に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１２３】
また、プログラムは、１のコンピュータにより処理されるものであってもよいし、複数のコンピュータによって分散処理されるものであってもよい。さらに、プログラムは、遠方のコンピュータに転送されて実行されるものであってもよい。
【０１２４】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１２５】
なお、本技術の実施の形態は、上述した実施の形態に限定されるものではなく、本技術の要旨を逸脱しない範囲において種々の変更が可能である。例えば、本技術は、１つの機能を、ネットワークを介して複数の装置で分担、共同して処理するクラウドコンピューティングの構成をとることができる。
【０１２６】
また、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０１２７】
なお、本技術は、以下のような構成をとることができる。
【０１２８】
（１）
IP(Internet Protocol)伝送方式を用いたデジタル放送の放送波を受信する受信部と、
前記放送波で伝送される制御信号に含まれる、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせに応じて、特定のサービス提供元を識別して、前記特定のサービスに関する所定の処理を行う各部の動作を制御する制御部と
を備える受信装置。
（２）
前記制御信号には、国ごとに割り振られる国コードがさらに含まれており、
前記制御部は、前記オリジナルネットワークID、前記ストリームID、前記サービスID、及び、前記国コードの組み合わせに応じて、前記特定のサービス提供元を識別する
（１）に記載の受信装置。
（３）
前記特定のサービスは、インターネットを介して、サーバからストリーミング配信される
（１）又は（２）に記載の受信装置。
（４）
前記特定のサービスの電子サービスガイドは、インターネットを介して、サーバから提供される
（１）乃至（３）のいずれか一項に記載の受信装置。
（５）
前記オリジナルネットワークIDは、公的機関により割り振られ、
前記ストリームIDと、前記サービスIDは、各放送事業者により割り振られる
（１）に記載の受信装置。
（６）
前記国コードは、公的機関の国コードが指定される
（２）に記載の受信装置。
（７）
前記制御信号は、XML(Extensible Markup Language)形式で記述される
（１）乃至（６）のいずれか一項に記載の受信装置。
（８）
受信装置の受信方法において、
前記受信装置が、
IP伝送方式を用いたデジタル放送の放送波を受信し、
前記放送波で伝送される制御信号に含まれる、放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせに応じて、特定のサービス提供元を識別して、前記特定のサービスに関する所定の処理を行う各部の動作を制御する
ステップを含む受信方法。
（９）
１又は複数のサービスを構成するコンポーネントを取得する第１の取得部と、
放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせを含む制御信号を取得する第２の取得部と、
IP伝送方式を用いたデジタル放送の放送波であって、前記１又は複数のサービスを構成するコンポーネント及び前記制御信号を含む放送波を送信する送信部と
を備える送信装置。
（１０）
送信装置の送信方法において、
前記送信装置が、
１又は複数のサービスを構成するコンポーネントを取得し、
放送事業者ごとに固有な値として割り振られるとともに特定のサービスの再送信時に同一の値が継承されるオリジナルネットワークID、ストリームごとに固有な値として割り振られるストリームID、及び、サービスごとに固有な値として割り振られるサービスIDの組み合わせを含む制御信号を取得し、
IP伝送方式を用いたデジタル放送の放送波であって、前記１又は複数のサービスを構成するコンポーネント及び前記制御信号を含む放送波を送信する
ステップを含む送信方法。
【符号の説明】
【０１２９】
１  放送通信システム，  １０  送信装置，  ２０  受信装置，  ３０  ESGサーバ，  ４０  配信サーバ，  ８０  ケーブル，  ９０  インターネット，  １０１  コンポーネント取得部，  １０２  制御信号取得部，  １０４  送信部，  ２０２  チューナ，  ２０８  制御部，  ２１１  通信部，  ９００  コンピュータ，  ９０１  CPU
【図１】
2015107929.tif 000003
【図２】
2015107929.tif 000004
【図３】
2015107929.tif 000005
【図４】
2015107929.tif 000006
【図５】
2015107929.tif 000007
【図６】
2015107929.tif 000008
【図７】
2015107929.tif 000009
【図８】
2015107929.tif 000010
【図９】
2015107929.tif 000011
【図１０】
2015107929.tif 000012
【図１１】
2015107929.tif 000013
【図１２】
2015107929.tif 000014
【図１３】
2015107929.tif 000015
【図１４】
2015107929.tif 000016
【図１５】
2015107929.tif 000017
【図１６】
2015107929.tif 000018
【図１７】
2015107929.tif 000019
【国際調査報告】
2015107929.tif 000020
2015107929.tif 000021